(57)【特許請求の範囲】
【請求項１】
エレベーターの昇降路に開口した点検口を開閉し常時は施錠された点検扉と、
上記点検口に対応して配置され上記点検扉の戸開によって閉成される第１の接点と、
上記点検扉又は上記点検口縁部の人目につき難い位置に設けられた隠しピンと、
上記隠しピンが差し込まれた状態で閉成され、上記隠しピンが引き抜かれることによって開放される第２の接点と、
を備えたエレベーターの点検口装置。
【請求項２】
第２の接点は、隠しピンが引き抜かれることにより、点検扉の戸開前に開放されることを特徴とする請求項１記載のエレベーターの点検口装置。
【請求項３】
第１の接点及び第２の接点が閉成されることによって付勢される異常報知器を備えたことを特徴とする請求項１又は請求項２に記載のエレベーターの点検口装置。
【請求項４】
第１の接点及び第２の接点が閉成されることによって付勢されて遠隔管理部署へ異常を通報する異常通報装置を備えたことを特徴とする請求項１〜請求項３のいずれか一つに記載のエレベーターの点検口装置。
【請求項５】
エレベーターの昇降路に開口した点検口を開閉し常時は施錠された点検扉と、
上記点検口に対応して配置され上記点検扉の戸開によって閉成される第１の接点と、
上記第１の接点が閉成されることによって付勢される時限リレーと、
上記時限リレーが付勢されてから所定時間経過後に閉成される限時動作常開接点と、
上記点検扉又は上記点検口縁部の人目につき難い位置に設けられた隠しピンと、
上記隠しピンが差し込まれた状態で閉成され、上記隠しピンが引き抜かれることによって上記点検扉の戸開後に開放される第２の接点と、
を備えたエレベーターの点検口装置。
【請求項６】
限時動作常開接点及び第２の接点が閉成されることによって付勢される異常報知器を備えたことを特徴とする請求項５記載のエレベーターの点検口装置。
【請求項７】
限時動作常開接点及び第２の接点が閉成されることによって付勢されて遠隔管理部署へ異常を通報する異常通報装置を備えたことを特徴とする請求項５又は請求項６に記載のエレベーターの点検口装置。
【発明の詳細な説明】
【０００１】
【発明の属する技術分野】
この発明は、昇降路内に設置された機器を昇降路外から点検するために設けられるエレベーターの点検口装置に関する。
【０００２】
【従来の技術】
図５は、例えば特開平５−７８０７４号公報に示された従来のエレベーターの点検口装置を示すエレベーター昇降路の横断平面図である。図において、１は昇降路、２は出入口３及び出入口３を開閉するかごの戸４が設けられて昇降路１内を昇降するかご、５は昇降路１の底部に設置された巻上機で、詳細な説明を省略するがかご２を吊持した主索が巻掛けられて主索を介してかご２を駆動する。
【０００３】
６は昇降路１の底部に設置された制御盤で、巻上機５に接続されて巻上機５の動作を制御する。７は昇降路１に設けられてかご１の出入口３に対向する乗場装置で、出入口８、出入口８を開閉する乗場の戸９及び閉成時に出入口８の一側の縁部を構成して開放時には点検口１０を形成する点検扉１１によって構成されている。
【０００４】
従来のエレベーターの点検口装置は上記のように構成され、点検扉１１は図示が省略してあるが常時において鎖錠されて、エレベーターの保守員、エレベーターが設置された建物の管理者等のエレベーターの管理員以外の人が立ち入りできないようになっている。
【０００５】
そして、昇降路１内の巻上機５、制御盤６等のエレベーター機器の保守点検時には、エレベーターの管理員が点検扉１１を解錠して戸開し、昇降路１内に入って昇降路１内機器に対して所要の保守、点検作業を行うようになっている。
なお、点検扉１１には自動施錠装置が装備され、また点検扉１１が戸開状態であるときには、自動的にかご２の運転を阻止する制御が行われる。
【０００６】
【発明が解決しようとする課題】
上記のような従来のエレベーターの点検口装置において、点検扉１１は常時において鎖錠され、また点検扉１１が戸開状態であるときにはかご２の運転が阻止される。このようにして、エレベーターの管理員以外の人が立ち入ることによってエレベーターの運転阻害が生じないようになっている。しかし、悪戯等であって施錠装置を破壊し点検扉１１を故意に開けることによって、人が昇降路１へ転落したり、昇降路１内の機器が悪戯されてエレベーターの運転が阻害されたりする不具合が発生する恐れがあるという問題点があった。
【０００７】
この発明は、かかる問題点を解消するためになされたものであり、施錠された点検扉が故意に開けられた場合に異常が検出されるエレベーターの点検口装置を得ることを目的とする。
【０００８】
【課題を解決するための手段】
この発明に係るエレベーターの点検口装置においては、エレベーターの昇降路に開口した点検口を開閉し常時は施錠された点検扉と、点検口に対応して配置され点検扉の戸開によって閉成される第１の接点と、点検扉又は点検口縁部の人目につき難い位置に設けられた隠しピンと、隠しピンが差し込まれた状態で閉成され、隠しピンが引き抜かれることによって開放される第２の接点とが設けられる。
【０００９】
また、この発明に係るエレベーターの点検口装置においては、第２の接点は、隠しピンが引き抜かれることにより、点検扉の戸開前に開放される。
【００１０】
また、この発明に係るエレベーターの点検口装置においては、第１の接点及び第２の接点が閉成されることによって付勢される異常報知器が設けられる。
【００１１】
また、この発明に係るエレベーターの点検口装置においては、第１の接点及び第２の接点が閉成されることによって付勢されて遠隔管理部署へ異常を通報する異常通報装置が設けられる。
【００１２】
また、この発明に係るエレベーターの点検口装置においては、エレベーターの昇降路に開口した点検口を開閉し常時は施錠された点検扉と、点検口に対応して配置され点検扉の戸開によって閉成される第１の接点と、第１の接点が閉成されることによって付勢される時限リレーと、時限リレーが付勢されてから所定時間経過後に閉成される限時動作常開接点と、点検扉又は点検口縁部の人目につき難い位置に設けられた隠しピンと、隠しピンが差し込まれた状態で閉成され、隠しピンが引き抜かれることによって点検扉の戸開後に開放される第２の接点とが設けられる。
【００１３】
また、この発明に係るエレベーターの点検口装置においては、限時動作常開接点及び第２の接点が閉成されることによって付勢される異常報知器が設けられる。
【００１４】
また、この発明に係るエレベーターの点検口装置においては、限時動作常開接点及び第２の接点が閉成されることによって付勢されて遠隔管理部署へ異常を通報する異常通報装置が設けられる。
【００１５】
【発明の実施の形態】
実施の形態１．
図１及び図２は、この発明の実施の形態の一例を示す図で、図１は点検扉の下部の斜視図、図２は図１の点検扉に対応して設けられた異常検出回路図である。なお、図１及び図２の他は点検口を含めて前述の図５と同様にエレベーター装置が構成されている。図において、１１は開放時に点検口１０を形成する点検扉、１２は点検扉１１に設けられたスイッチ、１３はスイッチ１２の常開接点、１４は点検扉１１の底面等であって、人目につき難い位置に設けられた隠しピンである。
【００１６】
１５はスイッチ１２及び隠しピン１４によって構成された動作阻止手段である。１６は点検扉１１の戸開により閉成する常閉接点、１７はスイッチ１２の常開接点１３及び常閉接点１６を主要部として形成された異常検出回路、１８は点検口１０の近くに設けられたブザーからなる異常報知器、１９は異常報知器１８と並列に配置された異常通報装置で、エレベーターの保守会社等の遠隔管理部署へ異常発生を通報する。＋−は電源である。
【００１７】
上記のように構成されたエレベーターの点検口装置において、通常時は点検扉１１が戸閉されて施錠されている。この状態では、点検扉１１の戸閉により常閉接点１６が開放し、また隠しピン１４がスイッチ１２に差し込まれているので常開接点１３は閉成している。このため、異常報知器１８、異常通報装置１９ともに消勢されている。
【００１８】
そして、エレベーターの管理員が昇降路１内機器の点検のために、点検扉１１を開ける場合には点検扉１１を解錠し、次いで隠しピン１４を引き抜くので常開接点１３が開放する。そして、点検扉１１を開けることによって常閉接点１６が閉成するが、異常報知器１８、異常通報装置１９とも消勢されたままとなり異常が報知されることはない。
【００１９】
しかし、悪戯等であって点検扉１１を故意に開けた場合には、隠しピン１４を引き抜くことなく差し込んだままとなるので、常開接点１３は閉成したままとなる。次いで、無理に点検扉１１を開けることにより常閉接点１６も閉成する。これによって、＋−１３−１６−１８−−の回路によって異常報知器１８が付勢されてブザーが吹鳴して点検扉１１が故意に開けられた異常が報知される。
また、＋−１３−１６−１９−−の回路により異常通報装置１９が付勢されて点検扉１１が故意に開けられた異常が遠隔管理部署へ通報される。
【００２０】
以上説明したように、要するに点検口１０を開閉し常時は施錠された点検扉１１に対して、点検扉１１の戸開によって動作する異常検出回路１７が形成される。そして、エレベーターの管理員による点検扉１１の正常戸開時には、動作阻止手段１５がエレベーターの管理員によって操作されることによって異常検出回路１７の動作が阻止される。
【００２１】
また、悪戯等であって施錠された点検扉１１を故意に開けた場合には、動作阻止手段１５が操作されることなく点検扉１１が開かれるので異常検出回路１７が動作する。これにより、点検扉１１が故意に開けられた異常が、異常報知器１８の付勢によるブザーの吹鳴により報知されたり、異常通報装置１９の付勢により遠隔管理部署へ通報されたりする。これによって、悪戯等であって点検扉１１を故意に開けることによって、人が昇降路１へ転落したり、悪戯によりエレベーターの運転が阻害されたりする不具合の発生を未然に防ぐことができる。
【００２２】
実施の形態２．
図３及び図４は、この発明の他の実施の形態の一例を示す図で、図３は点検扉の下部の斜視図、図４は図３の点検扉に対応して設けられた異常検出回路図である。なお、図３及び図４の他は点検口を含めて前述の図５と同様にエレベーター装置が構成されている。図において、前述の図１及び図２と同符号は相当部分を示し、１２は点検口１０の縁部に設けられたスイッチ、１４は隠しピンで、点検口１０の縁部に設けられてスイッチ１２に対向して配置された保持具２０に保持されている。２１は時限リレーで、２３は時限リレー２１の限時動作常開接点である。
【００２３】
上記のように構成されたエレベーターの点検口装置において、通常時は点検扉１１が戸閉されて施錠されている。この状態では、点検扉１１の戸閉により常閉接点１６が開放し、また隠しピン１４がスイッチ１２に差し込まれているので常開接点１３は閉成している。このため、異常報知器１８、異常通報装置１９ともに消勢されている。
【００２４】
そして、エレベーターの管理員が昇降路１内機器の点検のために、点検扉１１を開ける場合には点検扉１１を解錠し、次いで点検扉１１を開ける。これによって、常閉接点１６が閉成して＋−１６−２１−−の回路によって時限リレー２１が付勢されて、時限リレー２１の限時動作常開接点２２が所定時限経過後に閉成する。しかし、エレベーターの管理員は時限リレー２１の所定時限経過前に隠しピン１４を引き抜くので常開接点１３が開放する。このため、点検扉１１を開けることによって常閉接点１６が閉成して時限リレー２１が付勢されて所定時限経過後に限時動作常開接点２２が閉成するものの、異常報知器１８、異常通報装置１９ともに消勢されたままとなり異常が報知されることはない。
【００２５】
しかし、悪戯等であって点検扉１１を故意に開けた場合には、隠しピン１４を引き抜くことなく差し込んだままとなるので、点検扉１１の戸開により常閉接点１６が閉成し、また差し込んだままの隠しピン１４により常開接点１３が閉成したままとなる。そして、時限リレー２１の所定時限が経過すると限時動作常開接点２２が閉成する。これによって、＋−１３−２２−１８−−の回路によって異常報知器１８が付勢されてブザーが吹鳴して点検扉１１が故意に開けられた異常が報知される。
また、＋−１３−２２−１９−−の回路により異常通報装置１９が付勢されて点検扉１１が故意に開けられた異常が遠隔管理部署へ通報される。
【００２６】
以上説明したように、要するに点検口１０を開閉し常時は施錠された点検扉１１に対して、点検扉１１の戸開によって動作する異常検出回路１７が形成される。そして、エレベーターの管理員による点検扉１１の正常戸開時には、動作阻止手段１５がエレベーターの管理員によって操作されて異常検出回路１７の動作が阻止される。
【００２７】
また、悪戯等であって施錠された点検扉１１を故意に開けた場合には、点検扉１１の開放後に動作阻止手段１５が操作されることがないので、異常検出回路１７が動作する。これにより、点検扉１１が故意に開けられた異常が、異常報知器１８の付勢によるブザーの吹鳴により報知されたり、異常通報装置１９の付勢により遠隔管理部署へ通報されたりする。これによって、悪戯等であって点検扉１１を故意に開けることによって、人が昇降路１へ転落したり、悪戯によりエレベーターの運転が阻害されたりする不具合の発生を未然に防ぐことができる。
【００２８】
【発明の効果】
この発明は以上説明したように、エレベーターの昇降路に開口した点検口を開閉し常時は施錠された点検扉と、点検口に対応して配置され点検扉の戸開によって閉成される第１の接点と、点検扉又は点検口縁部の人目につき難い位置に設けられた隠しピンと、隠しピンが差し込まれた状態で閉成され、隠しピンが引き抜かれることによって開放される第２の接点とを設けたものである。
【００２９】
このように、点検口を開閉し常時は施錠された点検扉に対して、点検扉の戸開によって閉成される第１の接点が設けられる。そして、エレベーターの管理員による点検扉の正常戸開時には、隠しピンがエレベーターの管理員によって引き抜かれて第２の接点が開放される。また、悪戯等であって施錠された点検扉を故意に開けた場合には、隠しピンが引き抜かれないので第２接点は閉成したままとなる。これにより、点検扉が故意に開けられた異常が検出でき、この検出を介して人が昇降路へ転落したり、エレベーターの運転が阻害されたりする不具合の発生に対する未然防止活動を可能にする効果がある。
【００３０】
また、この発明は以上説明したように、第２の接点は、隠しピンが引き抜かれることにより、点検扉の戸開前に開放されるものである。
【００３１】
このように、点検口を開閉し常時は施錠された点検扉に対して、点検扉の戸開によって閉成される第１の接点が設けられる。そして、エレベーターの管理員による点検扉の正常戸開時には、隠しピンがエレベーターの管理員によって点検扉の戸開前に引き抜かれて第２の接点が開放される。また、悪戯等であって施錠された点検扉を故意に開けた場合には、隠しピンが引き抜かれないので第２接点は閉成したままとなる。これにより、点検扉が故意に開けられた異常が検出でき、この検出を介して人が昇降路へ転落したり、エレベーターの運転が阻害されたりする不具合の発生に対する未然防止活動を可能にする効果がある。
【００３２】
また、この発明は以上説明したように、第１の接点及び第２の接点が閉成されることによって付勢される異常報知器を設けたものである。
【００３３】
このように、点検口を開閉し常時は施錠された点検扉に対して、点検扉の戸開によって閉成される第１の接点が設けられる。そして、エレベーターの管理員による点検扉の正常戸開時には、隠しピンがエレベーターの管理員によって引き抜かれて第２の接点が開放される。また、悪戯等であって施錠された点検扉を故意に開けた場合には、隠しピンが引き抜かれないので第２接点は閉成したままとなる。これにより、点検扉が故意に開けられた異常が検出でき、この検出により異常報知器が動作しこの動作を介して人が昇降路へ転落したり、エレベーターの運転が阻害されたりする不具合の発生に対する未然防止活動を可能にする効果がある。
【００３４】
また、この発明は以上説明したように、第１の接点及び第２の接点が閉成されることによって付勢されて遠隔管理部署へ異常を通報する異常通報装置を設けたものである。
【００３５】
このように、点検口を開閉し常時は施錠された点検扉に対して、点検扉の戸開によって閉成される第１の接点が設けられる。そして、エレベーターの管理員による点検扉の正常戸開時には、隠しピンがエレベーターの管理員によって引き抜かれて第２の接点が開放される。また、悪戯等であって施錠された点検扉を故意に開けた場合には、隠しピンが引き抜かれないので第２接点は閉成したままとなる。これにより、点検扉が故意に開けられた異常が検出でき、この検出により異常通報装置が動作しこの動作を介して人が昇降路へ転落したり、エレベーターの運転が阻害されたりする不具合の発生に対する未然防止活動を可能にする効果がある。
【００３６】
また、この発明は以上説明したように、エレベーターの昇降路に開口した点検口を開閉し常時は施錠された点検扉と、点検口に対応して配置され点検扉の戸開によって閉成される第１の接点と、第１の接点が閉成されることによって付勢される時限リレーと、時限リレーが付勢されてから所定時間経過後に閉成される限時動作常開接点と、点検扉又は点検口縁部の人目につき難い位置に設けられた隠しピンと、隠しピンが差し込まれた状態で閉成され、隠しピンが引き抜かれることによって点検扉の戸開後に開放される第２の接点とを設けたものである。
【００３７】
このように、点検口を開閉し常時は施錠された点検扉に対して、点検扉の戸開によって閉成される第１の接点が設けられる。そして、エレベーターの管理員による点検扉の正常戸開時には、隠しピンがエレベーターの管理員により、時限リレーが付勢されてから限時動作常開接点が閉成される所定時間内に引き抜かれて、第２の接点が開放される。また、悪戯等であって施錠された点検扉を故意に開けた場合には、隠しピンが引き抜かれないので第２接点は閉成したままとなる。これにより、点検扉が故意に開けられた異常が検出でき、この検出を介して人が昇降路へ転落したり、エレベーターの運転が阻害されたりする不具合の発生に対する未然防止活動を可能にする効果がある。
【００３８】
また、この発明は以上説明したように、限時動作常開接点及び第２の接点が閉成されることによって付勢される異常報知器を設けたものである。
【００３９】
このように、点検口を開閉し常時は施錠された点検扉に対して、点検扉の戸開によって閉成される第１の接点が設けられる。そして、エレベーターの管理員による点検扉の正常戸開時には、隠しピンがエレベーターの管理員により、時限リレーが付勢されてから限時動作常開接点が閉成される所定時間内に引き抜かれて第２の接点が開放される。また、悪戯等であって施錠された点検扉を故意に開けた場合には、隠しピンが引き抜かれないので第２接点は閉成したままとなる。これにより、点検扉が故意に開けられた異常が検出でき、この検出により異常報知器が動作しこの動作を介して人が昇降路へ転落したり、エレベーターの運転が阻害されたりする不具合の発生に対する未然防止活動を可能にする効果がある。
【００４０】
また、この発明は以上説明したように、限時動作常開接点及び第２の接点が閉成されることによって付勢されて遠隔管理部署へ異常を通報する異常通報装置を設けたものである。
【００４１】
このように、点検口を開閉し常時は施錠された点検扉に対して、点検扉の戸開によって閉成される第１の接点が設けられる。そして、エレベーターの管理員による点検扉の正常戸開時には、隠しピンがエレベーターの管理員により、時限リレーが付勢されてから限時動作常開接点が閉成される所定時間内に引き抜かれて第２の接点が開放される。また、悪戯等であって施錠された点検扉を故意に開けた場合には、隠しピンが引き抜かれないので第２接点は閉成したままとなる。これにより、点検扉が故意に開けられた異常が検出でき、この検出により異常通報装置が動作しこの動作を介して人が昇降路へ転落したり、エレベーターの運転が阻害されたりする不具合の発生に対する未然防止活動を可能にする効果がある。
【図面の簡単な説明】
【図１】 この発明の実施の形態１を示す図で、点検扉の下部の斜視図。
【図２】 図１の点検扉に対応して設けられた異常検出回路図。
【図３】 この発明の実施の形態２を示す図で、点検扉の下部の斜視図。
【図４】 図３の点検扉に対応して設けられた異常検出回路図。
【図５】 従来のエレベーターの点検口装置を示すエレベーター昇降路の横断平面図。
【符号の説明】
１ 昇降路、１０ 点検口、１１ 点検扉、１５ 動作阻止手段、１７ 異常検出回路、１８ 異常報知器、１９ 異常通報装置。
【図１】
0003821578.tif 000002
【図２】
0003821578.tif 000003
【図３】
0003821578.tif 000004
【図４】
0003821578.tif 000005
【図５】
0003821578.tif 000006